(57)【特許請求の範囲】
【請求項１】
少なくとも電装部材が収納されたカメラ本体ユニットと、
上記カメラ本体ユニットを固定する外装部材と、
電装部材と該電装部材の外周を囲んで水密状に配置され、上記外装部材に圧接して水密をなす可撓性をもつ無端帯とを有し、上記外装部材に回動可能に支持される後蓋ユニットと、
上記外装部材の回動部近傍に設けられる貫通孔と、
挿通孔を有し、上記貫通孔にはめ込まれて水密となす可撓性を有するブッシュと、
上記外装部材内部のカメラ本体ユニットから延出され、上記ブッシュの挿通孔部を通過して、上記後蓋ユニットの電装部材に接続されたされるフレキシブルプリント基板と、
を具備したことを特徴とする防滴カメラ。
【請求項２】
上記フレキシブルプリント基板は、上記挿通孔部を挿通した後、上記無端帯と後蓋ユニットとの間を水密状に通過することを特徴とする請求項１記載の防滴カメラ。
【請求項３】
少なくとも電装部材が収納されたカメラ本体ユニットと、
上記カメラ本体ユニットを固定して支持する外装部材と、
電装部材を有し、上記外装部材に対して回動可能に支持される後蓋ユニットと、
上記後蓋ユニットを回動可能に支持する回動支持部材と、
上記外装部材の回動部近傍に配設される貫通孔部と、
上記外装部材内部のカメラ本体ユニットから延出され、上記外装部材の貫通孔部を通過して、上記後蓋ユニットの電装部材に接続されるフレキシブルプリント基板と、
上記フレキシブルプリント基板と上記外装部材の貫通孔部とを水密的に固着する充填剤と、
を具備したことを特徴とする防滴カメラ。
【発明の詳細な説明】
【０００１】
【発明の属する技術分野】
本発明は、防滴カメラ、詳しくは、電装部材接続用としてフレキシブルプリント基板が組み込まれるカメラにおける防滴構造に関する。
【０００２】
【従来の技術】
従来のカメラにおいて、電装部材が収納されたカメラ本体ユニットと、該カメラ本体ユニットを固定支持する外装部材に対して回動自在に支持された後蓋ユニットとをフレキシブルプリント基板を用いて電気的接続を行う構造は、すでに採用されている。この製造構造においては、上記外装部材に上記フレキシブルプリント基板の幅より僅かに長いスリット状の孔部を設け、該基板を上記孔部に挿通して、後蓋ユニットの回動に支障のない位置に這わせるようにして配設される。
【０００３】
【発明が解決しようとする課題】
しかしながら、上述の従来のカメラでは、上記外装部材の孔部での上記フレキシブルプリント基板挿通部分の防滴に関しては、全く考慮されておらず、上記外装部材の孔部から水滴がカメラ本体内に浸入する可能性があった。
【０００４】
本発明は、上述の不具合を解決するためになされたもので、上記カメラ本体に収納される電装部材と回動可能な後蓋ユニットに収納される電装部材とを接続するフレキシブルプリント基板の各部材間の挿通部分での水密性が良好な防滴カメラを提供するすることを目的とする。
【０００５】
【課題を解決するための手段】
本発明の請求項１記載の防滴カメラは、少なくとも電装部材が収納されたカメラ本体ユニットと、上記カメラ本体ユニットを固定する外装部材と、電装部材と該電装部材の外周を囲んで水密状に配置され、上記外装部材に圧接して水密をなす可撓性をもつ無端帯とを有し、上記外装部材に回動可能に支持される後蓋ユニットと、上記外装部材の回動部近傍に設けられる貫通孔と、挿通孔を有し、上記貫通孔にはめ込まれて水密となす可撓性を有するブッシュと、上記外装部材内部のカメラ本体ユニットから延出され、上記ブッシュの挿通孔部を通過して、上記後蓋ユニットの電装部材に接続されたされるフレキシブルプリント基板とを具備する。
上記防滴カメラにおいては、カメラ本体ユニットと後蓋ユニット間の電気的接続を行うフレキシブルプリント基板は、カメラ本体ユニットから外装部材上の水密性を有する上記ブッシュを挿通後、後蓋ユニット内に導入される。
【０００６】
本発明の請求項２記載の防滴カメラは、請求項１記載の防滴カメラにおいて、上記フレキシブルプリント基板は、上記挿通孔部を挿通した後、上記無端帯と後蓋ユニットとの間を水密状に通過させる。
上記防滴カメラにおいては、上記フレキシブルプリント基板は上記無端帯と後蓋ユニットの壁面間を水密状態で通過して、上記後蓋ユニットの電装部材と接続される。
【０００７】
本発明の請求項３記載の防滴カメラは、少なくとも電装部材が収納されたカメラ本体ユニットと、上記カメラ本体ユニットを固定して支持する外装部材と、電装部材を有し、上記外装部材に対して回動可能に支持される後蓋ユニットと、上記後蓋ユニットを回動可能に支持する回動支持部材と、上記外装部材の回動部近傍に配設される貫通孔部と、上記外装部材内部のカメラ本体ユニットから延出され、上記外装部材の貫通孔部を通過して、上記後蓋ユニットの電装部材に接続されるフレキシブルプリント基板と、上記フレキシブルプリント基板と上記外装部材の貫通孔部とを水密的に固着する充填剤とを具備する。
上記防滴カメラにおいては、カメラ本体ユニットと後蓋ユニット間の電気的接続を行うフレキシブルプリント基板のカメラ本体ユニットから、上記外装部材上の上記貫通孔部を上記充填剤で水密的に固着された状態で挿通して上記後蓋ユニット側に延出させる。
【０００８】
【発明の実施の形態】
以下、図を用いて本発明の実施の形態について説明する。
図１，図２は、本発明の一実施の形態を示す防滴カメラの分解斜視図であって、図１は、上記防滴カメラを構成するカメラ本体ユニットと前カバーとスライドカバーの分解斜視図、また、図２は、上記防滴カメラを構成する後カバーと後蓋ユニットの分解斜視図を示す。
【０００９】
本実施の形態の防滴カメラは、主に撮影のための基本機能部材等が取り付けられたカメラ本体ユニット１と、上記カメラ本体ユニット１の外周部を覆う外装部材からなる前カバーユニット２および後カバーユニット３と、フィルム装填時に開閉される後蓋ユニット４と、電池蓋５とで構成される。
【００１０】
上記カメラ本体ユニット１は、カメラ本体１１と、該カメラ本体１１に組み込まれる撮影レンズ鏡枠１２と、シャッタ機構１３と、フィルム給送駆動機構１４と、ファインダ光学系１７と、ストロボ装置２０と、カメラ本体１１の前カバーユニット２側前面に光軸Ｏと略直交する方向に沿って配設される硬質の電気回路基板１５を含む電装部材等で構成されている。
上記電気回路基板１５には、前カバーユニット２側に設けられる電池電源接続用の接片と圧接して接続される接点部である接続用ランド部１６ａ，１６ｂが設けられている。
【００１１】
上記前カバーユニット２は、上記カメラ本体ユニットを固定支持する外装部材である前カバー２１と、該前カバー２１にスライド可能に取り付けられるスライドバリア２６とで構成される。
上記前カバー２１には、その正面部に上記スライドバリア２６によって開閉される撮影レンズ開口部２１ａと、ファインダ用窓，測距用窓，ストロボ用窓等の窓部２１ｂなどが設けられている。さらに、被写体側から見て左側の端部に電池２９が装填可能な電池収納室２１ｃが設けられてる。その電池収納室２１ｃには、−側電極接続用の電池接片２２と、＋側電極接続用の電池接片２３が取り付けられている。
【００１２】
上記電池接片２２，２３の接続端部２２ａ，２３ａは、前カバー２１のカメラ本体ユニット１側に設けられ、組み付け状態で電気回路基板１５の接続用ランド部１６ａ，１６ｂと圧接して接続状態となる圧接接片２４，２５に接続されている。
【００１３】
上記後カバーユニット３は、枠形状の外装部材である後カバー３１と、該後カバーに押圧可能に取り付けられるレリーズ釦３２と、後蓋ユニット４と電池蓋５とを回動自在に支持する回動支持部材である回動軸３３と、フレキシブルプリント基板が水密状で挿通するスリット状の挿通孔３４ａを有する可撓性のブッシュ３４とからなり、カメラ本体ユニット１が取り付けられた上記前カバー２１にネジ３５，３６，３７で固着される。
【００１４】
上記回動軸３３は、後カバー３１の被写体側からみて左端部に設けられた上方，下方支持孔３１ａ，３１ｂにて支持される。
また、上記ブッシュ３４は、後カバー３１の下方支持孔３１ｂ近傍に設けられた回動軸３３に略平行な長孔状の貫通孔３１ｃに嵌め込んで接着され、水密性が保持される。
【００１５】
上記後蓋ユニット４は、後蓋４１と、該後蓋に取り付けられる圧板４２と、フィルム押さえ４３と、覗き窓４４と、上記圧板の後蓋側内部に配設され、日付設定用等のスイッチ接点群とＬＣＤ表示部等を有する電装部材であるスイッチ・表示用基板４５と、上記フィルム押さえ４３，スイッチ接点基板４５，覗き窓４４の配設範囲を囲む枠状の可撓性の無端帯であって、後蓋４１内面側に水密状に接着して固着されたパッキング４６と、一端の接続部４７ａがカメラ本体ユニット１の電気回路基板１５にコネクタを介して電気的に接続可能であり、他端の接続部４７ｂが上記スイッチ・表示用基板４５にコネクタを介して電気的に接続可能である接続用フレキシブルプリント基板４７とで構成されている。
【００１６】
上記後蓋４１には、被写体側から見て左側端部に前記回動軸３３が回動自在に嵌入可能な軸支持孔４１ａ，４１ｂが設けられており、組み付け状態では、後蓋４１は、後カバーユニット３に回動自在に支持される。上記軸支持孔４１ｂの下方位置に上記接続用フレキシブルプリント基板４７が通過する凹部４１ｃが配設されている。また、被写体側から見て右側端部に前記後カバーユニット３に係合可能な２つの爪４１ｄが設けられている。
【００１７】
上記接続用フレキシブルプリント基板４７は、その実装状態では一端の接続部４７ａを前記カメラ本体ユニット１内の電気回路基板１５にコネクタを介して接続され、後カバー３１のブッシュ３４の挿通孔３４ａを水密状に挿通した後、後蓋４１の回動軸３３の周りの凹部４１ｃを通過して、後蓋内面に沿って保護テープ４８が貼付されていてパッキング４６と後蓋４１との接合部を水密状態で通過して、パッキング４６の内部に入り、コネクタを介して他端の接続部４７ｂがスイッチ・表示用基板４５と他端の接続部４７ｂが接続される。
【００１８】
上記電池蓋５は、後カバー４１の軸支持孔４１ａ，４１ｂの内側に挿入され、上記回動軸３３が嵌入可能な軸支持孔５ａ，５ｂと、係止爪５ｃとが配設されている。従って、上記各ユニットの組み付け状態では、電池蓋５は後カバーユニット３に対して回動可能であり、前カバー２１の電池収納室２１ｃを開閉することができる。
【００１９】
以上のような構成を有する本実施の形態のカメラの各ユニットを組み立てる場合、まず、カメラ本体ユニット１をスライドカバー２６が取り付けられた前カバーユニット２の所定の位置に装着する。
そして、フレキシブルプリント基板４７の一端の接続部４７ａをカメラ本体ユニット１の電気回路基板１５のコネクタ部に接続後、後カバー３１を装着し、上のブッシュ３４の挿通孔３４ａを水密状態で挿通させる。その後、前述した後蓋４１上の所定の位置に沿って実装し、フレキシブルプリント基板４７の他端の接続部４７ｂを後蓋ユニット４のスイッチ・表示用基板４５にコネクタを介して接続する。
【００２０】
なお、図３は、本防滴カメラにおける後蓋装着前の前カバー２１と後カバー３１組み付け状態での回動軸３３側から見た側面図であり、上記フレキシブルプリント基板４７がブッシュ３４を挿通して後カバー３１の外部に導出された状態を示している。
【００２１】
また、図４の防滴カメラの回動軸周りの要部拡大横断面図は、上記フレキシブルプリント基板４７の実装状態を示しており、ブッシュ３４を挿通して後カバーユニット３を導出後、回動軸３３の周りをＵ字状に折り返して、後蓋４１の内壁面に接着された状態で通過して、パッキング４６と後蓋４１の接合面を経由して、後蓋ユニット４の内部に導入される状態を示している。なお、上述のようにフレキシブルプリント基板４７が回動軸３３周りをＵ字状に配されていることから、後蓋４１を後カバー３１に対して支障なく回動させることができる。
【００２２】
前カバーユニット２とカメラ本体ユニット１と後カバーユニット３は、ネジ３５，３６，３７を用いて結合されるが、この結合により電気回路基板１５の接続用ランド部１６ａ，１６ｂと、電池接片２２，２３に接続されている圧接接片２４，２５とが圧接され、電気的に接続状態が得られる。
【００２３】
電池蓋５を装着した状態の後蓋ユニット４を後カバーユニット３の所定の位置に嵌め込み、回動軸３３を後カバー３１の軸支持孔３１ａ，３１ｂと、後カバー４１の軸支持孔４１ａ，４１ｂと、電池蓋５の軸支持孔５ａ，５ｂとに挿入して装着状態とする。後蓋ユニット４と電池蓋５は、後カバーユニット２に回動可能の状態に支持された状態となり、カメラとして組み立てが完了する。
【００２４】
以上、説明した本実施の形態の防滴カメラでは、カメラ本体ユニット１を支持する外装部材である後カバー３１と、該後カバー３１に回動可能に支持された後蓋ユニット４との間に上記回動動作を妨げない状態で電気接続用のフレキシブルプリント基板２７が配設される。
【００２５】
そして、上記フレキシブルプリント基板４７の後カバー３１挿通部を回動軸部近傍に設け、その挿通部分に可撓性のあるブッシュ３４を適用することによって水密状態が確実に確保される。さらに、フレキシブルプリント基板４７の後蓋ユニット４への導入部では、回動軸部周りからＵ字状に這わせて後蓋４１に接着して取り付けた後、パッキング４６と後蓋４１との結合面から接着状態でパッキング枠内部に挿入し、水密状態が確実に確保される。
【００２６】
なお、図示はしないがフレキシブルプリント基板４７を後カバー３１を水密的に挿通させる構造として、図２，図３に示す後カバー３１の貫通孔３１ｃにブッシュ３４を使用せず、フレキシブルプリント基板４７を直接上記貫通孔３１ｃに挿通させ、シリコン接着剤等の充填剤を用いてフレキシブルプリント基板４７の挿通部分を接着，固定することによって水密状態を得ることも可能である。
【００２７】
【発明の効果】
上述したように本発明の請求項１の防滴カメラによると、カメラ本体に収納される電装部材と、回動可能な後蓋ユニット内に無端帯により水密状態で収納される電装部材とを接続するフレキシブルプリント基板の各部材間の挿通部分での良好な防滴特性を得ることができる。
【００２８】
本発明の請求項２の防滴カメラによると、上記カメラ本体に収納される電装部材と接続された上記フレキシブルプリント基板を上記後蓋ユニット上の無端帯部を水密状に通過させることによって後蓋ユニット内部の良好な防滴特性を得ることができる。
【００２９】
本発明の請求項３の防滴カメラによると、簡単な組み立て作業によりカメラ本体に収納される電装部材と回動可能な後蓋ユニットに収納される電装部材とを接続するフレキシブルプリント基板の各部材間の挿通部分での良好な防滴特性を得ることができる。
【図面の簡単な説明】
【図１】本発明の一実施の形態を示す防滴カメラの分解斜視図であって、前カバーユニットとカメラ本体ユニットとを示す。
【図２】図１の防滴カメラの分解斜視図であって、後カバーユニットと後蓋ユニットと電池蓋とを示す。
【図３】図１の防滴カメラにおける前カバーと後カバー組み付け状態での側面図。
【図４】図１の防滴カメラの回動軸周りの要部拡大横断面図。
【符号の説明】
１    ……カメラ本体ユニット
４    ……後蓋ユニット
１５  ……電気回路基板（電装部材）
２１  ……前カバー（外装部材）
３１  ……後カバー（外装部材）
３１ｃ……貫通孔
３３  ……回動軸（回動軸部，回動支持部材）
３４  ……ブッシュ
３４ａ……挿通孔
４５  ……スイッチ・表示用基板（電装部材）
４６  ……パッキング（無端帯）
４７  ……フレキシブルプリント基板
【図１】
0003645043.tif 000002
【図２】
0003645043.tif 000003
【図３】
0003645043.tif 000004
【図４】
0003645043.tif 000005